(57)【要約】【課題】電話機での少なくとも２名の参加者間の通話を第三者が聞くことを防止するための方法および装置を提供すること。【解決手段】電話機は、二次スピーカを介して提示されるオーディオ刺激信号を生成する。オーディオ刺激信号は例えば疑似ランダム雑音またはキャンセル信号とすることができる。本発明の一態様では、電話機は、オーディオ刺激信号が少なくとも２名の参加者の通話を著しく損ねないことを確実にする。第三者に通話のローカル部分を聞かれるのを防止するために、受信信号をユーザに提示する前に、オーディオ刺激信号は受信信号から減算される。第三者に通話のリモート部分を聞かれるのを防止するために、オーディオ刺激信号は受信信号から減算される。【選択図】図３
2006157930.tif 000002
【特許請求の範囲】
【請求項１】
電話機での少なくとも２名の参加者間の通話を第三者に聞かれるのを防止するための方法であって、
オーディオ刺激信号を生成するステップと、
前記オーディオ刺激信号が前記少なくとも２名の参加者に対し前記通話を著しく損ねないことを確実にするステップと、
前記オーディオ刺激信号を前記電話機の二次スピーカを介して提示するステップと、
を含む方法。
【請求項２】
前記オーディオ刺激信号は疑似ランダム雑音またはキャンセル信号である、請求項１に記載の方法。
【請求項３】
前記第三者が前記通話のローカルまたはリモート部分を聞こうと試みている、請求項１に記載の方法。
【請求項４】
前記確実にするステップは、前記電話機のマイクロフォンによって捕捉された信号から前記オーディオ刺激信号を減算するステップをさらに含む、請求項３に記載の方法。
【請求項５】
前記確実にするステップは、前記電話機によって受信された信号から前記オーディオ刺激信号を減算するステップをさらに含む、請求項３に記載の方法。
【請求項６】
前記減算ステップは、前記電話機のユーザによって受信された前記オーディオ刺激信号のフィードバックを解消する、請求項５に記載の方法。
【請求項７】
前記電話機のユーザとリモート参加者の間の通話を第三者に聞かれるのを防止する電話機であって、
オーディオ信号を捕捉するためのマイクロフォンと、
オーディオ刺激信号を生成するための信号発生器と、
前記オーディオ信号から前記オーディオ刺激信号を減算して、前記電話機のユーザの音声信号を前記リモート参加者に送信するために分離するための減算器と、
前記オーディオ刺激信号を提示するための二次スピーカと、
を備えた電話機。
【請求項８】
前記リモート参加者の音声信号を前記電話機の前記ユーザに提示するための一次スピーカをさらに備えた、請求項７に記載の電話機。
【請求項９】
前記オーディオ刺激信号は、前記第三者が前記オーディオ信号を聞くのを防止する疑似ランダム雑音またはキャンセル信号である、請求項７に記載の電話機。
【請求項１０】
前記電話機のユーザとリモート参加者の間の通話を第三者に聞かれるのを防止する電話機であって、
前記リモート参加者から受信信号を受信するための入力と、
オーディオ刺激信号を生成するための信号発生器と、
前記受信信号から前記オーディオ刺激信号を減算して、前記リモート参加者の音声信号を分離するための減算器と、
前記リモート参加者の音声信号を前記電話機の前記ユーザに提示するための一次スピーカと、
前記オーディオ刺激信号を提示するための二次スピーカと、
を備えた電話機。
【発明の詳細な説明】
【技術分野】
【０００１】
本発明は、プライベート通話を確実にするための技術に関し、さらに詳しくは、第三者に通話を盗み聞きされるのを防止するための方法および装置に関する。
【背景技術】
【０００２】
今日の移動社会では、人々が公共的環境でプライベート通話を行なうことがますます増えてきている。多くのオフィス環境でも、多数の人々は個室をもたず、彼らの通話は盗み聞きされやすい。
【発明の開示】
【発明が解決しようとする課題】
【０００３】
したがって、第三者に通話を盗み聞きされるのを防止するための方法および装置が必要である。
【課題を解決するための手段】
【０００４】
一般的に、電話での少なくとも２名の参加者間の通話を第三者が聞くことを防止するための方法および装置を提供する。電話機は、二次スピーカを介して提示されるオーディオ刺激信号を生成する。オーディオ刺激信号は例えば疑似ランダム雑音またはキャンセル信号とすることができる。本発明の一態様では、電話機は、オーディオ刺激信号が少なくとも２名の参加者の通話を著しく損ねないことを確実にする。
【０００５】
第三者に通話のローカル部分を聞かれるのを防止するために、受信信号をユーザに提示する前に、オーディオ刺激信号は受信信号から減算されて、リモート参加者の音声信号が分離される。第三者に通話のリモート部分を聞かれるのを防止するために、オーディオ刺激信号は受信信号から減算されて、リモート参加者の音声信号が分離される。この方法で、減算は、それなしでは電話機のユーザによって受信されるオーディオ刺激信号のフィードバックを解消する。
【０００６】
本発明のより完全な理解は、本発明のさらなる特徴および利点と共に、以下の詳細な説明および図面を参照することによって得られるであろう。
【発明を実施するための最良の形態】
【０００７】
図１は、電話機１２０の所有者１１０によって行なわれる通話を聞こうとする立ち聞き者１３０を示す。特に、図１の実施形態では、立ち聞き者１３０は所有者側１１５の通話（つまり電話機所有者１１０が話す言葉）を聞こうとしている。立ち聞き者１３０は物理的に電話機所有者１１０の近傍にいる。電話機１２０は、例えばセルラ電話機、コードレス電話機、または標準的有線電話機として具現することができる。したがって、本発明はセルラ電話機の場合を図示しているが、本発明は、通常の当業熟練者には明白である通り、どんな電話機の型にも適用することができる。
【０００８】
図２に示す本発明の一態様では、電話機１２０に二次スピーカ２１５を導入することによって、立ち聞き者１３０が通話を盗み聞きするのを防止する。二次スピーカ２１５は、疑似ランダム雑音またはキャンセル信号のような刺激２２０を発生させる。図２に示すように、電話機所有者１１０の音声信号２１０は、電話機１２０のマウスピース（つまりマイクロフォン）によって受信される。加えて、刺激２２０が二次スピーカ２１５によって生成される。キャンセル信号は一般的に、電話機所有者１１０の音声信号２１０と等しいが逆の振幅の大きさのオーディオ信号であるので、立ち聞き者１３０が経験する正味効果は、全くの無信号である。
【０００９】
この方法で、立ち聞き者１３０は、生成された刺激２２０および電話機所有者１１０の音声信号２１０の合成２３０を聞くことになる。疑似ランダム雑音の場合、立ち聞き者１３０は、電話機所有者１１０の音声信号２１０と雑音２２０を区別することができない。キャンセル信号の場合、キャンセル信号２２０は電話機所有者１１０の音声信号２１０を雑音２２０から相殺し、立ち聞き者１３０には何も聞こえない。
【００１０】
以下で論じるように、電話機１２０は生成した刺激２２０を知っており、したがって電話機所有者１１０の音声信号２１０から刺激２２０を減算し、それにより電話機所有者１１０の音声信号２１０を通話のリモート当事者（図示せず）に送信するために分離することができる。図３は、立ち聞き者１３０が所有者側１１５の通話を聞くことを防止するために、本発明の特徴を組み込んだ電話機３００の略ブロック図である。
【００１１】
図３に示す通り、電話機３００のマウスピース３１５（つまりマイクロフォン）は、電話機所有者１１０の音声信号２１０と、二次スピーカ２１５によって生成された刺激２２０とを含む信号３１０を受信する。コーデック３２０は信号３１０を公知の方法で符号化し、符号化された信号を減算器３２２の第１入力に印加する。加えて、本発明では、疑似ランダム雑音発生器３４０（または音声キャンセラ）が刺激２２０を生成する。刺激２２０はコーデック３４５によって符号化され、二次スピーカ２１５によって提示される。加えて、疑似ランダム雑音発生器３４０は刺激２２０を減算器３２２の第２入力に印加する。この方法で、公知の生成された刺激２２０を電話機所有者１１０の音声信号２１０から減算し、それにより電話機所有者１１０の音声信号２１０を、通話のリモート当事者（図示せず）に送信するために分離することができる。
【００１２】
したがって、電話機所有者１１０の音声信号２１０は、アンテナ３５５で送信するために、本発明の範囲を超える公知の方法で、送信ベースバンド・ステージ３２５、ＲＦアップコンバータ３３０、およびデュプレックス３５０によって処理される。電話機３００の受信分岐は、従来の方法で、ＲＦダウン・コンバータ３６０、受信ベースバンド・ステージ３６５、コーデック３７０、およびイヤピース３８０を含む。
【００１３】
図４は、電話機４２０の所有者４１０が行なっている通話を聞こうとしている立ち聞き者４３０を示す。特に図４の実施形態では、立ち聞き者４３０はリモート側４１５の通話（つまり電話機４２０のイヤピースまたはスピーカを介して再生される、通話のリモート当事者（図示せず）が話す言葉）を聞こうとしている。電話機４２０は、例えばセルラ電話機、コードレス電話機、スピーカ電話機、または標準的有線電話機として具現することができる。
【００１４】
図５に示す本発明の別の実施形態では、電話機４２０に二次スピーカ５２０を導入することによって、立ち聞き者４３０がリモート側の通話を盗み聞きすることを防止する。二次スピーカ５２０は、疑似ランダムのような刺激５２５を発生させる。一次スピーカ５１０と二次スピーカ５２０の間の距離Ｄｅａｒｐｉｅｃｅは、所有者４１０の耳と一次スピーカ５１０の間の距離Ｄｃａｎａｌよりかなり大きくしなければならない。
【００１５】
図６に関連して以下でさらに述べるように、二次スピーカ５２０によって生成される疑似ランダム雑音５２５は電話機４００の内部で減算されるので、一次スピーカ５１０は所有者４１０の外耳道で正しい信号５１５を生成する。立ち聞き者４３０は、２つのスピーカ５１０、５２０それぞれから２つの経路５３０、５４０で信号５５０を受信する。信号５５０は、両方のスピーカ５１０、５２０からの音の和であるので、ランダム信号である。ランダム信号５５０は、立ち聞き者４３０からスピーカ５１０、５２０までの距離が差（Ｄｅａｒｐｉｅｃｅ−Ｄｃａｎａｌ）またはその倍数に等しくない限り、正しい信号５１５をマスクする。一般的に、電話機４００からの距離は電話機−外耳道間距離より大きく増大するので、両方のスピーカ５１０、５２０からのエネルギーはランダム化される。この方法で、立ち聞き者４３０は、生成された刺激５２５およびリモート電話参加者（図示せず）の音声信号５１５の合成５５０を聞く（一般的に雑音または無信号として感知される）。
【００１６】
一次スピーカ５１０と二次スピーカ５２０の間の距離Ｄｅａｒｐｉｅｃｅは公知であり、所有者の耳４１０と一次スピーカの間の距離Ｄｃａｎａｌは。一実施形態では、電話機４００と所有者４１０の外耳道の間の相対的動きを感知することができ、信号はそれに応じて調整される。さらなる変形では、所有者４００は、試験信号を使用して、信号の品質を任意選択的に調整することができる。
【００１７】
図６は、立ち聞き者１３０に通話のリモート部分を聞かれるのを防止するために、本発明の特徴を組み込んだ電話機６００の略ブロック図である。図６に示す通り、電話機６００のマウスピース６１５（つまりマイクロフォン）は、電話機所有者４１０の音声信号とスピーカ５１０、５２０によって生成された刺激とを含む信号３１０を受信する。コーデック６２０は信号を公知の方法で符号化し、符号化された信号を、アンテナ６５５で送信するために本発明の範囲を超える公知の方法で、送信ベースバンド・ステージ６２５、ＲＦアップコンバータ６３０、およびデュプレックス６５０に印加する。
【００１８】
電話機６００の受信分岐はＲＦダウン・コンバータ６６０、受信ベースバンド・ステージ６６５、コーデック６７０、およびイヤピース５１０を含む。ＲＦダウン・コンバータ６６０、受信ベースバンド・ステージ６６５は、従来の方法で動作する。受信ベースバンド・ステージ６６５の出力は減算器６６７の第一入力に印加される。
【００１９】
加えて、本発明によれば、疑似ランダム雑音発生器６４０（または音声キャンセラ）が刺激５２５を生成する。刺激５２５はコーデック６４５によって符号化され、二次スピーカ５２０によって提示される。図５に最も明瞭に示すように、電話機４２０の所有者４１０は、経路５１２を介して二次スピーカ５２０からの刺激５２５を聞く。したがって、図６に示すように、疑似ランダム雑音発生器６４０は刺激５２５を減算器６６７の別の入力に印加する。この方法で、公知の生成された刺激５２５をリモート参加者の受信機音声信号から減算し、それによりリモート参加者の受信音声信号５１５を所有者４１０に提示するために分離することができる。
【００２０】
ここで図示しかつ記載した実施形態および変形例は本発明の原理の単なる例証にすぎないこと、および当業者は、本発明の範囲および精神から逸脱することなく、様々な変化を実現することができることを理解されたい。
【図面の簡単な説明】
【００２１】
【図１】通話のローカル部分を聞こうとする立ち聞き者を示す図である。
【図２】通話のローカル部分を図１の立ち聞き者に盗み聞きされるのを防止するための本発明による技術を示す図である。
【図３】所有者側の通話を立ち聞き者に聞かれるのを防止する本発明の特徴を組み込んだ電話機のブロック図である。
【図４】通話のリモート部分を聞こうとする立ち聞き者を示す図である。
【図５】通話のリモート部分を図４の立ち聞き者に盗み聞きされるのを防止するための本発明による技術を示す図である。
【図６】通話のリモート部分を立ち聞き者に聞かれるのを防止する本発明の特徴を組み込んだ電話機のブロック図である。
【図１】
2006157930.tif 000003
【図２】
2006157930.tif 000004
【図３】
2006157930.tif 000005
【図４】
2006157930.tif 000006
【図５】
2006157930.tif 000007
【図６】
2006157930.tif 000008